(57)【要約】      （修正有）【課題】メディアを用いた医用画像のデータ移送において、その移送先でのメディアの受領を容易に管理できるメディア管理システム等を実現すること。【解決手段】サーバ３のメディア９の作成時に、そのメディア９に記憶した医用画像データに含まれる患者情報ＬＩＤ及び検査情報ＬＩＤに基づいてメディア登録情報を生成し、ＰＤＩ管理装置１１に送信するＰＤＩ管理装置１１は、サーバ３から送信されたメディア登録情報をメディア管理テーブルに記憶する。他の医療機関でメディア９が受領された際には、その病院のサーバ３から送信されるメディア受領情報によりメディア管理テーブルの受領日時を更新して、メディア９が受領されたことを登録する。【選択図】図２
2010029223.tif 000002
【特許請求の範囲】
【請求項１】
識別情報を含む医用画像データを記憶媒体に書き込むメディア作成装置と、前記記憶媒体に書き込まれた医用画像データを読み出して再生するメディア再生装置と、当該メディア作成装置からメディア再生装置への当該記憶媒体の移送状態を管理するメディア管理装置とがデータ通信可能に構成されたメディア管理システムにおいて、
前記メディア作成装置は、
前記記憶媒体に書き込まれた医用画像データから識別情報を抽出して前記メディア管理装置に送信する作成元送信手段を備え、
前記メディア再生装置は、
前記メディア作成装置から移送された記憶媒体に書き込まれた医用画像データから識別情報を抽出して前記メディア管理装置に送信する移送先送信手段を備え、
前記メディア管理装置は、
前記メディア作成装置から医用画像データの識別情報を受信する作成元受信手段と、
前記作成元受信手段により受信された識別情報に未受領情報を対応付けて記憶する記憶手段と、
前記メディア再生装置から医用画像データの識別情報を受信する移送先受信手段と、
前記移送先受信手段により受信された識別情報に対応付けられた未受領情報を前記記憶手段から読み出し、当該未受領情報を受領済情報に変更して前記記憶手段を更新する更新手段と、
を備えることを特徴とするメディア管理システム。
【請求項２】
前記メディア管理装置は、
前記メディア再生装置から受信した識別情報を前記メディア作成装置に送信して、記憶媒体の再移送を要求する再移送要求手段を更に備え、
前記メディア作成装置は、
複数の医用画像データを記憶する医用画像記憶手段と、
前記記憶媒体の再移送の要求に伴って送信される識別情報を受信する再移送要求受信手段と、
前記再移送要求受信手段により受信された識別情報と同一の識別情報を含む医用画像データを前記医用画像記憶手段から読み出し、当該医用画像データを新たな記憶媒体に書き込むメディア再作成手段と、
前記メディア再作成手段により書き込まれた医用画像データの識別情報を前記メディア管理装置に送信する識別情報再送手段と、
を更に備えることを特徴とする請求項１に記載のメディア管理システム。
【請求項３】
前記メディア管理装置は、
前記更新手段により前記未受領情報が受領済情報に変更された場合に、前記メディア再生装置により前記記憶媒体が受領されたことを示す通知情報を前記メディア作成装置に送信する通知手段を更に備えることを特徴とする請求項１又は２に記載のメディア管理システム。
【請求項４】
医用画像データを書き込んだ記憶媒体の作成元から当該医用画像データの識別情報を受信する作成元受信手段と、
前記作成元受信手段により受信された識別情報に未受領情報を対応付けて記憶する記憶手段と、
記憶媒体の移送先から当該記憶媒体に記憶された医用画像データの識別情報を受信する移送先受信手段と、
前記移送先受信手段により受信された識別情報に対応付けられた未受領情報を前記記憶手段から読み出し、当該未受領情報を受領済情報に変更して前記記憶手段を更新する更新手段と、
を備えることを特徴とするメディア管理装置。
【請求項５】
コンピュータを、
医用画像データを書き込んだ記憶媒体の作成元から当該医用画像データの識別情報を受信する作成元受信手段、
前記作成元受信手段により受信された識別情報に未受領情報を対応付けて記憶する記憶手段、
記憶媒体の移送先から当該記憶媒体に記憶された医用画像データの識別情報を受信する移送先受信手段、
前記移送先受信手段により受信された識別情報に対応付けられた未受領情報を前記記憶手段から読み出し、当該未受領情報を受領済情報に変更して前記記憶手段を更新する更新手段、
として機能させるためのプログラム。
【発明の詳細な説明】
【技術分野】
【０００１】
本発明は、メディア管理システム、メディア管理装置及びプログラム関する。
【背景技術】
【０００２】
医用画像をデジタル化して取り扱うことが最近では主流となりつつある。具体的には、ＣＴ（Computed Tomography）装置、ＭＲＩ（Magnetic Resonance Imaging）装置等の医用画像生成装置（以下、「モダリティ」という）によって医用画像がデジタル化され、ＰＡＣＳ（Picture Archiving and Communication System for medical application）と呼ばれる医用画像管理システムで記憶管理されている。
【０００３】
医用画像は、ＤＩＣＯＭ（Digital Imaging and Communication in Medicine）規格に準拠したデータ形式で患者情報や検査情報を含む医用画像データとしてデジタル化される。ＤＩＣＯＭとは、医用画像の通信及び保存フォーマットに関する標準規格であり、この規格に準拠することで、異なる医療機器間での相互通信性が確保される。
【０００４】
ところが、ＤＩＣＯＭ規格に準拠したからといって、必ずしも適正に医用画像の通信ができるとは限らないのが現況である。これは、ＤＩＣＯＭ規格に対する解釈が各ベンダー（メーカー）に委ねられ、ＤＩＣＯＭ規格のサポート範囲がベンダー毎に異なることがあるためである。
【０００５】
そこで、近年は、ＤＩＣＯＭ規格や医用情報標準化規格（Health Level 7；以下「ＨＬ７」という）等の標準規格を臨床現場のワークフローに則して適用するためのＩＨＥ（Integrating Healthcare Enterprise）やＩＨＥ−Ｊ（IHE-Japan）と呼ばれるガイドラインが定められ、運用されている。以下、ＩＨＥ及びＩＨＥ−Ｊを「ＩＨＥ」と総称することとする。このＩＨＥに則っとることで、医療機器間の相互通信性を高め、マルチベンダによる低コストのシステム構築が可能になり、ネットワークを介した医用画像データの提供が容易になった。
【０００６】
また、医用画像データの提供方法としては、ＭＯディスクやＣＤ−Ｒ等の持ち運びが可能な各種記憶媒体（以下、「メディア」という）を用いてオフラインでデータ移送する方法もあり、メディアに医用画像データを記憶する際のデータ構造もＩＨＥによって定められている。このため、当該メディアを用いた医用画像データの提供も容易になった。医用画像データを各種メディアに記憶する技術としては、医師により所見が作成された医用画像データをメディアに記憶する技術が知られている（特許文献１参照）。
【特許文献１】特開２００２−１５３４２７号公報
【発明の開示】
【発明が解決しようとする課題】
【０００７】
ところで、メディアに書き込まれる医用画像データには、患者情報や検査情報等の患者の個人情報が含まれているため、個人情報の観点からもそのメディアの所在を明確にしておく必要がある。しかし、特許文献１のように医用画像データを持ち運び可能なメディアに記憶した場合、メディアがデータ移送先に受領されたか否かを確認するためには、ユーザ自身が電話や電子メール等の通信手段により手動で連絡する必要があり、煩雑であった。
【０００８】
また、医療の診断においては、過去の医用画像と比較して診断したり、最新の医用画像を用いて診断することが重要であるが、メディアでデータ移送した場合、その移送先で参照できる医用画像は、そのメディア内の医用画像に限られてしまう。このため、メディア内の医用画像よりも過去の医用画像や最新の医用画像が必要な場合は、新たなメディアを作成してデータ移送する必要がる。
【０００９】
しかし、既にデータ移送されたメディアに対して追加のメディアを作成しなければなく、この場合、メディアに記憶された医用画像に関する患者情報や検査情報をユーザが調査して、それらの情報に基づいてメディアの作成を要求しなければならないため、とても煩雑である。また、一人の患者に対して複数のメディアが作成されることとなり、それらのメディアがデータ移送先に確実に届いているかを管理することは非常に煩雑になる。
【００１０】
本発明は、上述した課題に鑑みて為されたものであり、その目的とするところは、メディアを用いた医用画像のデータ移送において、その移送先でのメディアの受領を容易に管理できるメディア管理システム等を実現することである。
【課題を解決するための手段】
【００１１】
以上の課題を解決するために、請求項１に記載の発明は、
識別情報を含む医用画像データを記憶媒体に書き込むメディア作成装置と、前記記憶媒体に書き込まれた医用画像データを読み出して再生するメディア再生装置と、当該メディア作成装置からメディア再生装置への当該記憶媒体の移送状態を管理するメディア管理装置とがデータ通信可能に構成されたメディア管理システムにおいて、
前記メディア作成装置は、
前記記憶媒体に書き込まれた医用画像データから識別情報を抽出して前記メディア管理装置に送信する作成元送信手段を備え、
前記メディア再生装置は、
前記メディア作成装置から移送された記憶媒体に書き込まれた医用画像データから識別情報を抽出して前記メディア管理装置に送信する移送先送信手段を備え、
前記メディア管理装置は、
前記メディア作成装置から医用画像データの識別情報を受信する作成元受信手段と、
前記作成元受信手段により受信された識別情報に未受領情報を対応付けて記憶する記憶手段と、
前記メディア再生装置から医用画像データの識別情報を受信する移送先受信手段と、
前記移送先受信手段により受信された識別情報に対応付けられた未受領情報を前記記憶手段から読み出し、当該未受領情報を受領済情報に変更して前記記憶手段を更新する更新手段と、
を備えることを特徴としている。
【００１２】
請求項２に記載の発明は、請求項１に記載の発明において、
前記メディア管理装置は、
前記メディア再生装置から受信した識別情報を前記メディア作成装置に送信して、記憶媒体の再移送を要求する再移送要求手段を更に備え、
前記メディア作成装置は、
複数の医用画像データを記憶する医用画像記憶手段と、
前記記憶媒体の再移送の要求に伴って送信される識別情報を受信する再移送要求受信手段と、
前記再移送要求受信手段により受信された識別情報と同一の識別情報を含む医用画像データを前記医用画像記憶手段から読み出し、当該医用画像データを新たな記憶媒体に書き込むメディア再作成手段と、
前記メディア再作成手段により書き込まれた医用画像データの識別情報を前記メディア管理装置に送信する識別情報再送手段と、
を更に備えることを特徴としている。
【００１３】
請求項３に記載の発明は、請求項１又は２に記載の発明において、
前記メディア管理装置は、
前記更新手段により前記未受領情報が受領済情報に変更された場合に、前記メディア再生装置により前記記憶媒体が受領されたことを示す通知情報を前記メディア作成装置に送信する通知手段を更に備えることを特徴としている。
【００１４】
請求項４に記載のメディア管理装置は、
医用画像データを書き込んだ記憶媒体の作成元から当該医用画像データの識別情報を受信する作成元受信手段と、
前記作成元受信手段により受信された識別情報に未受領情報を対応付けて記憶する記憶手段と、
記憶媒体の移送先から当該記憶媒体に記憶された医用画像データの識別情報を受信する移送先受信手段と、
前記移送先受信手段により受信された識別情報に対応付けられた未受領情報を前記記憶手段から読み出し、当該未受領情報を受領済情報に変更して前記記憶手段を更新する更新手段と、
を備えることを特徴としている。
【００１５】
請求項５に記載のプログラムは、コンピュータを、
医用画像データを書き込んだ記憶媒体の作成元から当該医用画像データの識別情報を受信する作成元受信手段、
前記作成元受信手段により受信された識別情報に未受領情報を対応付けて記憶する記憶手段、
記憶媒体の移送先から当該記憶媒体に記憶された医用画像データの識別情報を受信する移送先受信手段、
前記移送先受信手段により受信された識別情報に対応付けられた未受領情報を前記記憶手段から読み出し、当該未受領情報を受領済情報に変更して前記記憶手段を更新する更新手段、
として機能させることを特徴としている。
【発明の効果】
【００１６】
本発明によれば、医用画像データを記憶した記憶媒体の作成元であるメディア作成装置から識別情報を受信すると、その識別情報に対応付けて未受領情報を対応付けて記憶手段に記憶する。そして、その記憶媒体の移送先であるメディア再生装置から記憶手段に記憶した識別情報と同一の識別情報を受信すると、当該識別情報に対応付けられた未受領情報を受領済情報に変更する。
【００１７】
このため、メディア管理装置では、医用画像データの移送先で記憶媒体が受領されたか否かを示す情報が更新される。従って、記憶媒体を用いた医用画像のデータ移送において、その移送先での記憶媒体の受領を容易に管理できるメディア管理システム等を実現することができる。である。
【００１８】
また、メディア再生装置からの記憶媒体の再移送の要求が行われた場合に、メディア作成装置は、その要求により送信された識別情報と同一の識別情報を含む医用画像データを新たな記憶媒体に書き込み、更にその医用画像データに含まれる識別情報をメディア管理装置に送信することとしてもよい。
【００１９】
これにより、同一の識別情報を含む医用画像データを記憶媒体についても、メディア管理装置で受領されたか否かを示す情報が更新される。このため、追加の記憶媒体を作成して一人の患者に対して複数の記憶媒体が作成されることとなっても、それらの記憶媒体の移送先での受領の管理が容易になる。
【００２０】
また、更新手段により未受領情報が受領済情報に変更された場合に、メディア管理装置は、通知情報をメディア作成装置に送信することとしてもよい。これにより、記憶媒体を作成したメディア作成装置側では、記憶媒体がデータ移送先で受領されたか否かを確認することができる。
【発明を実施するための最良の形態】
【００２１】
以下、本発明のメディア管理システムを図１の医用画像提供システムＳに、メディア作成装置及びメディア再生装置を図２のサーバ３、メディア管理装置を図１のＰＤＩ（Portable Data for Imaging）管理装置１１に適用した場合の実施形態について図１〜図１０を参照して説明する。
【００２２】
〔医用画像提供システムの概要〕
先ず、図１に示す医用画像提供システムＳの概要について説明する。図１は、医用画像提供システムＳのシステム構成の一例を示すブロック図である。図１によれば、医用画像提供システムＳは、病院毎のＰＡＣＳ１と、ＰＤＩ管理装置１１とが公衆回線網Ｎ１を介して各々がデータ通信可能に構成されている。図１において、ＰＡＣＳ１Ａが病院Ａに、ＰＡＣＳ１Ｂが病院Ｂに配設されている。
【００２３】
ＰＡＣＳ１で記憶管理されている医用画像データは、公衆回線網Ｎ１又はメディア９を介して他の病院のＰＡＣＳ１にデータ移送される。メディア９にデータ記憶する際のデータ構造は、ＩＨＥによって予め定められており、各ＰＡＣＳ１がＩＨＥに対応していることで、医用画像データのメディア９からの読み出しが容易になる。
【００２４】
図２にＰＡＣＳ１のシステム構成の一例を示す。図２によれば、ＰＡＣＳ１は、サーバ３とクライアント５とが院内ネットワークＮ３を介して通信接続されて、データ通信可能に構成されている。院内ネットワークＮ３は、病院内の専用ネットワークであり、各種モダリティＭやフィルム出力装置７が接続されている。また、院内ネットワークＮ３は、公衆回線網Ｎ１との間にファイヤーウォール等を設けてセキュリティの確保が為されている。
【００２５】
モダリティＭ（Ｍ１，Ｍ２，・・・）は、ＣＴやＣＲ、ＭＲＩ、乳房撮影装置、超音波診断装置等であり、撮影技師の操作に従って撮影して得られた画像のデータ信号をＤＩＣＯＭ規格に則したデジタルデータに変換して医用画像データを生成する。モダリティＭは、生成した医用画像データをサーバ３に送信する。
【００２６】
例えば、ＣＲは、被写体に放射線を照射して、その被写体を透過した放射線をプレート状の輝尽性蛍光体に吸収させる。そして、この輝尽性蛍光体を例えばレーザ光で走査しながら励起することにより、この輝尽性蛍光体が蓄積している放射線エネルギを発光させ、その発光を光電変換して得られた放射線画像のデータ信号をデジタル変換して被写体の画像データを生成する。
【００２７】
図３に、医用画像データＤ１のデータ構造の一例を示す。図３（ａ）によれば、医用画像データＤ１は、付帯情報としてのヘッダ情報Ｄ３と画像データＤ５とを有して構成される。ヘッダ情報Ｄ３は、図３（ｂ）に示すように、患者情報Ｄ３０、検査情報Ｄ３２、シリーズ情報Ｄ３４及び画像詳細情報Ｄ３６を有して構成され、例えば、ＤＩＣＯＭ規格に則って記述される。
【００２８】
また、ヘッダ情報Ｄ３は、ＨＩＳ（病院情報システム；Hospital Information System）やＲＩＳ（放射線情報システム；Radiological Information System）から発行されるオーダー情報に基づいて、医用画像の生成時にモダリティＭによって設定される。尚、図３（ｂ）に示すヘッダ情報Ｄ３は、本実施形態において主要なデータを模式化したものであり、他のデータの図示は省略している。
【００２９】
患者情報Ｄ３０は、図４（ａ）に示すように、患者情報ＬＩＤ（Link Identification）３１と、患者の名前、患者ＩＤ、生年月日、性別等の患者に関する各種情報とが含まれている。
【００３０】
検査情報Ｄ３２は、図４（ｂ）に示すように、検査情報ＬＩＤ３３と、画像管理のために発行された検査インスタンスＵＩＤ（Unique Identification）と、検査情報Ｄ３２に対応付けられた患者情報ＬＩＤと、検査日付、検査ＩＤ等の検査に関する各種情報とが含まれている。
【００３１】
シリーズ情報Ｄ３４は、図４（ｃ）に示すように、シリーズ情報ＬＩＤ３５と、画像管理のために発行されたシリーズインスタンスＵＩＤと、そのシリーズ情報Ｄ３４に対応付けられた検査情報ＬＩＤと、医用画像を撮影したモダリティＭの種類を示す名称、そのモダリティＭのシリーズ番号、検査部位等のモダリティＭや撮影に関する各種情報とが含まれている。
【００３２】
画像詳細情報Ｄ３６は、図４（ｄ）に示すように、画像詳細情報ＬＩＤ３７と、シリーズインスタンスＵＩＤ及び医用画像のファイル保存場所を示すアドレスを組み合わせて構成されるＳＯＰ（Service Object Pair）インスタンスＵＩＤとを含んで構成される。また、画像詳細情報Ｄ３６は、当該画像詳細情報Ｄ３６に対応付けられたシリーズ情報ＬＩＤと、医用画像が生成された際に付された画像番号、画像が生成された画像時刻等の画像管理や画像生成に関する各種情報とを含んで構成される。
【００３３】
これらの患者情報ＬＩＤ３１、検査情報ＬＩＤ３３及びシリーズ情報ＬＩＤ３５は、ヘッダ情報Ｄ３に含まれる各種情報を関連付けると共に、医用画像データＤ１を識別するための識別情報である。即ち、患者情報ＬＩＤ３１は、検査情報Ｄ３２との関連付けを行い、検査情報ＬＩＤ３３は、シリーズ情報Ｄ３４との関連付けを行う。
【００３４】
また、シリーズ情報ＬＩＤ３５は、検査情報Ｄ３２や画像詳細情報Ｄ３６との関連付けを行い、画像詳細情報ＬＩＤは、シリーズ情報Ｄ３４との関連付けを行う。これらの患者情報ＬＩＤ３１、検査情報ＬＩＤ３３及びシリーズ情報ＬＩＤ３５等の識別情報により医用画像データＤ１を個々に識別することができる。
【００３５】
サーバ３は、モダリティＭから送信される医用画像データＤ１を、その医用画像データＤ１に含まれるヘッダ情報Ｄ３に基づいてデータベース管理する。また、ユーザ操作に基づいて選択された医用画像データＤ１をＩＨＥに基づいたデータ形式でメディア９に書き込む。
【００３６】
クライアント５は、ＬＣＤ（Liquid Crystal Display）等を備えて構成され、医用画像データＤ１に基づいて医用画像を再生表示する端末装置である。ユーザが、再生表示する医用画像データＤ１を指定すると、その医用画像データＤ１をサーバ３やメディア９から読み出して再生表示する。
【００３７】
フィルム出力装置７は、フィルムデジタイザ等により構成され、医用画像データＤ１に基づいた医用画像を記録媒体上に画像形成して出力する画像形成装置である。ユーザがフィルム出力する医用画像データＤ１を指定すると、その医用画像データＤ１がサーバ３やメディア９から読み出されて、熱感光フィルム等の記録媒体上に医用画像の画像形成を行って出力する。
【００３８】
〔サーバの機能構成〕
次に、サーバ３の機能構成について図５及び６を参照して説明する。図５は、サーバ３の機能構成の一例を示すブロック図であり、図５に示すように制御部３０と、入力部３１と、表示部３２と、通信部３３と、記憶部３４と、Ｉ／Ｆ部３５とを備えて構成される。
【００３９】
制御部３０は、ＣＰＵ（Central Processing Unit）やＲＯＭ（Read Only Memory）、ＲＡＭ（Random Access Memory）等により構成され、各機能部の動作の制御と、機能部間のデータ入出力の制御等を行うことでサーバ３を統括的に管理・制御する制御部である。
【００４０】
具体的には、入力部３１から入力される操作信号に応じてＲＯＭや記憶部３４に格納されたプログラムを読み出し、当該プログラムに従った処理を実行する。そして、その処理結果に基づいて、表示部３２の表示画面の更新や記憶部３４へのデータの記憶、通信部３３を介した外部機器とのデータ通信等を行う。
【００４１】
入力部３１は、カーソルキーやテンキー等の各種キー群や、マウスやタッチパネル等のポインティングデバイスを備えて構成される。入力部３１は、ユーザに押下されたキーに対応する操作信号や、ポインティングデバイスにより指定された画面上の座標位置に対応する操作信号を制御部３０に出力する。
【００４２】
表示部３２は、ＣＲＴ（Cathode-ray Tube）やＬＣＤ等により構成され、制御部３０の制御に基づいた表示画面の表示や、医用画像データＤ１の再生表示等を行う。通信部３３は、ＬＡＮインターフェイスやモデム等により構成され、院内ネットワークＮ３や公衆回線網Ｎ１を介して外部の機器とデータ通信を行う機能部である。Ｉ／Ｆ部３５は、メディアドライブ４０との間で所定の通信方式に基づいてデータ通信を行う機能部であり、例えば、ＵＳＢやＳＣＳＩ等により構成される。
【００４３】
メディアドライブ４０は、各種メディアに対してデータの読み書きを行う装置であり、ＣＤドライブであればＣＤ−ＲやＣＤ−ＲＷに、ＭＯドライブであればＭＯディスクに対するデータの書き込み及び読み出しを行う。尚、本実施形態においては、可搬記憶媒体としてＣＤ−ＲやＭＯディスクを例にとって説明するが、ＤＶＤ−Ｒ、ＤＶＤ―ＲＷ、ＨＤＤ等の他の電子メディアを採用することとしてもよい。
【００４４】
記憶部３４は、磁気的、光学的な記憶媒体にデータの読み書きを行う機能部であり、ＨＤＤ（Hard Disk Drive）等により構成される。図５（ａ）によれば、記憶部３４は、医用画像ＤＢ３４０と、基本情報ＤＢ３４１と、メディア登録情報３４２と、メディア受領情報３４３とを記憶している。
【００４５】
医用画像ＤＢ３４０は、モダリティＭから受信した医用画像データＤ１に含まれる画像データＤ５を検索可能に記憶するデータベースである。また、基本情報ＤＢ３４１は、モダリティＭから受信した医用画像データＤ１に含まれるヘッダ情報Ｄ３を検索可能に記憶するデータベースである。
【００４６】
制御部３０は、医用画像データＤ１を受信すると、ヘッダ情報Ｄ３と画像データＤ５とに分離し、それぞれを基本情報ＤＢ３４１と医用画像ＤＢ３４０とにそれぞれ記憶する。このとき、対になるヘッダ情報Ｄ３と画像データＤ５とを関連付けるためのアドレス情報等を付加することで、一対のヘッダ情報Ｄ３及び画像データＤ５が対応付けられる。
【００４７】
ユーザが、例えば、基本情報ＤＢ３４１に記憶されたヘッダ情報Ｄ３を指定すると、そのヘッダ情報Ｄ３に対応付けられた画像データＤ５が医用画像ＤＢ３４０から読み出されて再生表示される。そして、その医用画像をメディア９に書き込む指示入力を行うと、医用画像データＤ１としてメディア９に書き込まれる。
【００４８】
メディア９に医用画像データＤ１を書き込む際のデータ構造は、図６のようなＩＨＥに則ったデータ構造が望ましい。図６に示すデータ構造は、医用画像データＤ１をメディア９に記憶する際のデータ運用に関するＰＤＩと呼ばれるプロファイルであり、ＩＨＥによって定められている。
【００４９】
図６によれば、メディア９のルートディレクトリには、ＤＩＣＯＭＤＩＲファイル９０と、ＤＩＣＯＭディレクトリ９１と、ＯＴＨＥＲファイル９２と、ＯＴＨＥＲディレクトリ９３とが記憶される。
【００５０】
ＤＩＣＯＭディレクトリ９１は、ＤＩＣＯＭ規格に則った医用画像データＤ１を記憶するディレクトリであり、そのディレクトリの索引がＤＩＣＯＭＤＩＲファイル９０に記憶される。ＤＩＣＯＭＤＩＲファイル９０とＤＩＣＯＭディレクトリ９１とを記憶することがＰＤＩの必須要件となる。
【００５１】
ＯＴＨＥＲディレクトリ９３は、医用画像データＤ１を簡易的に再生表示する閲覧アプリ等のアプリケーションプログラム９４やそのアプリケーションプログラム９４の実行に要する設定ファイル９５等を記憶するディレクトリである。ＯＴＨＥＲファイル９２には、ＯＴＨＥＲディレクトリ９３の索引やアプリケーションプログラム９４の自動起動の初期設定等が記憶される。
【００５２】
制御部３０は、医用画像データＤ１をメディア９に記憶する際には、図６に示すようなデータ構造をメディア９内に生成し、各種データを記憶する。このようなＩＨＥにより定められたデータ構造で医用画像データＤ１等を記憶することで、ＩＨＥに対応した他の医療機関のＰＡＣＳ１であれば、容易に医用画像データＤ１の読み出しを行うことができるようになる。
【００５３】
図５の記憶部３４におけるメディア登録情報３４２は、サーバ３が作成したメディア９をＰＤＩ管理装置１１に登録するために生成されるデータである。制御部３０は、ユーザ操作に基づいてメディア９への医用画像データＤ１の記憶を終了して、当該メディア９の作成が完了すると、その記憶した医用画像データＤ１のヘッダ情報Ｄ３から患者情報ＬＩＤ３１、検査情報ＬＩＤ３３を抽出する。
【００５４】
そして、メディア９を作成した日時（作成日時）と、メディア９の種別（メディア種別）とを取得して、これらの情報をメディア登録情報３４２として記憶部３４に一時的に記憶する。制御部３０は、そのメディア登録情報３４２をＰＤＩ管理装置１１に送信することで、そのメディア９の作成をＰＤＩ管理装置１１に登録する。
【００５５】
また、メディア受領情報３４３は、他の医療機関から送付されたメディア９を受領したことをＰＤＩ管理装置１１に登録するために生成されるデータである。制御部３０は、ユーザ操作に基づいてメディア９が受領されたことの指示入力を検知すると、そのメディア９に記憶された医用画像データＤ１のヘッダ情報Ｄ３を読み出して、当該ヘッダ情報Ｄ３から患者情報ＬＩＤ３１、検査情報ＬＩＤ３３を抽出する。
【００５６】
そして、その患者情報ＬＩＤ３１及び検査情報ＬＩＤ３３をメディア受領情報３４３として記憶部３４に一時的に記憶して、そのメディア受領情報３４３をＰＤＩ管理装置１１に送信することで、そのメディア９の受領をＰＤＩ管理装置１１に登録する。
【００５７】
〔ＰＤＩ管理装置の機能構成〕
次に、ＰＤＩ管理装置１１の機能構成について図７及び８を参照して説明する。図７は、ＰＤＩ管理装置１１の機能構成の一例を示すブロック図であり、図７に示すように制御部１１０と、入力部１１１と、表示部１１２と、記憶部１１３と、通信部１１５とを備えて構成される。尚、ＰＤＩ管理装置１１を構成する制御部１１０、入力部１１１、表示部１１２、記憶部１１３及び通信部１１５それぞれの機能構成は、サーバ３の制御部３０、入力部３１、表示部３２、記憶部３４及び通信部３３の機能構成と同様であるため、その詳細な説明は省略する。
【００５８】
ＰＤＩ管理装置１１の記憶部１１３は、図７に示すようにメディア管理テーブル１１４を記憶する。図８にメディア管理テーブル１１４のデータ構成例を示す。メディア管理テーブル１１４は、図８に示すようにメディア管理ＬＩＤ１１４ａと、患者情報ＬＩＤ１１４ｂと、検査情報ＬＩＤ１１４ｃと、メディア種別１１４ｄと、作成日時１１４ｅと、受領日時１１４ｆとを対応付けて記憶するデータテーブルである。
【００５９】
メディア管理ＬＩＤ１１４ａは、ＰＡＣＳ１により作成されたメディア９を管理するための識別子であり、そのメディア９の作成の登録時にユニークなＩＤが生成されて設定される。患者情報ＬＩＤ１１４ｂ、検査情報ＬＩＤ１１４ｃ、メディア種別１１４ｄ及び作成日時１１４ｅは、ＰＡＣＳ１のサーバ３から送信されたメディア登録情報３４２である。メディア管理テーブル１１４において、メディア管理ＬＩＤ１１４ａが主キーとなり、患者情報ＬＩＤ１１４ｂ及び検査情報ＬＩＤ１１４ｃが外部参照キーとなる。
【００６０】
受領日時１１４ｆは、作成が登録されたメディア９が他の医療機関において受領されたか否かを示す情報であり、未受領情報と受領済情報との何れかが設定される。未受領情報は、作成されたメディア９が送付先のＰＡＣＳ１にまだ受領されていないことを示す情報であり、例えば、無効データ（例えば、“ＦＦＦＦ”）が設定される。受領済情報は、送付先のＰＡＣＳ１においてメディア９が受領されたことを示す情報であり、その受領した日時の情報が設定される。
【００６１】
制御部１１０は、メディア９の作成元のＰＡＣＳ１からメディア登録情報３４２を受信すると、新たなメディア管理ＬＩＤ１１４ａを生成し、当該メディア管理ＬＩＤ１１４ａにメディア登録情報３４２を対応付けてメディア管理テーブル１１４に記憶する。このとき受領日時１１４ｆには、未受領情報を設定する。
【００６２】
そして、メディア９の送付先のＰＡＣＳ１からメディア受領情報３４３を受信すると、そのメディア受領情報３４３に含まれる患者情報ＬＩＤ及び検査情報ＬＩＤと一致するレコードをメディア管理テーブル１１４から検索する。制御部１１０は、患者情報ＬＩＤ及び検査情報ＬＩＤと一致するレコードを検索すると、現在日時を取得する。そして、その検索したレコード中の受領日時１１４ｆに設定された未受領情報を、受領済情報である現在日時で書き換えてメディア管理テーブル１１４を更新する。
【００６３】
図８におけるメディア管理テーブル１１４は、メディア管理ＬＩＤ１１４ａの‘１２３４５６７８’で示されるメディア９が‘２００２／９／２７  １０：４２’に受領されたことを示し、メディア管理ＬＩＤ１１４ａが‘１２３４５６７９’で示されるメディア９はまだ受け取られていないことを示している。
【００６４】
〔医用画像提供システムの具体的な動作〕
次に、医用画像提供システムＳの具体的な動作について図９〜図１１を参照して説明する。図９は、図１における病院Ａのサーバ３ａ、病院Ｂのサーバ３ｂと、ＰＤＩ管理装置１１とによって行われる処理を示すシーケンス図であり、図１０及び１１は、サーバ３ａ及び３Ｂの表示画面例である。
【００６５】
尚、以下の説明において、病院Ａのサーバ３ａを構成する各機能部には、制御部３０ａ、入力部３１ａ、表示部３２ａ・・・といったように符号に‘ａ’を付し、病院Ｂのサーバ３ｂを構成する各機能部には、制御部３０ｂ、入力部３１ｂ、表示部３２ｂ・・・といったように符号に‘ｂ’を付して説明する。また、図９のシーケンス図の処理の主体は、サーバ３及びＰＤＩ管理装置１１の制御部であるが、説明の簡便化のために、その主体をサーバ３ａ、サーバ３ｂ及びＰＤＩ管理装置１１とする。
【００６６】
先ず、メディア作成元のサーバ３ａは、図１０に示すような医用画像一覧画面３２０を表示部３２ａに表示させる。医用画像一覧画面３２０は、医用画像ＤＢ３４０及び基本情報ＤＢ３４１、メディア９ａに記憶している医用画像データＤ１の一覧リスト３２１を表示する画面であり、例えば、ヘッダ情報Ｄ３の一覧が表示される。ユーザは、この医用画像一覧画面３２０において入力部３１ａを操作して所望の医用画像を選択して、メディア作成ボタン３２０を指定する。
【００６７】
サーバ３ａは、メディア作成ボタン３２０の指定を検知すると、医用画像一覧画面３２０において選択された医用画像データＤ１を医用画像ＤＢ３４０及び基本情報ＤＢ３４１から読み出して、メディア９ａに書き込み新規メディアの作成を行う（ステップＡ１）。そして、そのメディア９ａに書き込んだ医用画像データＤ１のヘッダ情報Ｄ３に基づいてメディア登録情報３４２を生成して、ＰＤＩ管理装置１１に送信することで、メディア９ａの作成を登録する（ステップＡ２）。
【００６８】
このとき、ＰＤＩ管理装置１１は、サーバ３ａからメディア登録情報３４２を受信すると（ステップＣ１）、新たなメディア管理ＬＩＤ１１４ａを生成して、当該メディア管理ＬＩＤ１１４ａに対応付けてメディア登録情報３４２をメディア管理テーブル１１４に記憶する（ステップＣ２）。このとき、受領日時１１４ｆには未受領情報としての無効データを設定する。
【００６９】
サーバ３ａのユーザは、作成したメディア９ａをメディア送付先の病院Ｂに送付する。メディア９ａを受領した病院Ｂ側のユーザは、そのメディア９ａをメディアドライブ４０ｂに装填し、そのメディア９ａに格納された医用画像データＤ１を図１０のように一覧表示せる。そして、医用画像一覧画面３２０内のメディア受領ボタン３２２を入力部３１ｂの操作により指定して、メディア９ａの受領をＰＤＩ管理装置１１に登録する。
【００７０】
サーバ３ｂは、メディア受領ボタン３２２の指定を検知すると、メディア９ａに記憶された医用画像データＤ１のヘッダ情報Ｄ３からメディア受領情報３４３を生成して、ＰＤＩ管理装置１１に送信する（ステップＢ１）。
【００７１】
ＰＤＩ管理装置１１は、メディア受領情報３４３を受信すると（ステップＣ３）、そのメディア受領情報３４３に含まれる患者情報ＬＩＤと検査情報ＬＩＤと同一の患者情報ＬＩＤ１１４ｂと検査情報ＬＩＤ１１４ｃとが対応付けられたメディア管理ＬＩＤ１１４ａをメディア管理テーブル１１４から検索する（ステップＣ４）。
【００７２】
そして、そのメディア管理ＬＩＤ１１４ａがメディア管理テーブル１１４に記憶されていた場合には、現在日時を取得して、当該メディア管理ＬＩＤ１１４ａに対応付けられた受領日時１１４ｆにその現在日時を設定することで未受領情報を受領済情報に変更する（ステップＣ５）。
【００７３】
ＰＤＩ管理装置１１は、メディア９がサーバ３ｂで受領されたことを示すデータ（例えば、受領日時１１４ｆ）をサーバ３ａに送信して、その受領をサーバ３ａに通知する（ステップＣ６）。このとき、サーバ３ａは、ＰＤＩ管理装置１１からの通知を受けて、メディア９が受領された旨のメッセージを表示部３２ａに表示させる（ステップＡ３）。
【００７４】
次に、サーバ３ｂは、受領したメディア９ａに格納された医用画像データＤ１に関連する医用画像（以下、「関連画像」という）の問い合わせをＰＤＩ管理装置１１を介してサーバ３ａに行う。ここで、関連画像には、過去画像と最新画像とがある。過去画像は、メディア９に格納された医用画像よりも過去に撮影された同一モダリティ、同一部位の医用画像である。また、最新画像は、メディア９に格納された医用画像よりも後に撮影された同一モダリティ、同一部位の医用画像である。
【００７５】
サーバ３ｂは、メディア９ａに格納された医用画像データＤ１から患者情報ＬＩＤを抽出し、その患者情報ＬＩＤをＰＤＩ管理装置１１に送信する（ステップＢ２）。これに対し、ＰＤＩ管理装置１１は、その患者情報ＬＩＤを受信すると（ステップＣ７）、当該患者情報ＬＩＤが対応付けられた検査情報ＬＩＤをメディア管理テーブル１１４から読み出し、患者情報ＬＩＤと共にサーバ３ａに送信することで、関連画像の検索依頼を行う（ステップＣ８）。
【００７６】
サーバ３ａは、ＰＤＩ管理装置１１から患者情報ＬＩＤ及び検査情報ＬＩＤについての関連画像の検索依頼を受信すると（ステップＡ４）、その各ＬＩＤを含むヘッダ情報Ｄ３を基本情報ＤＢ３４１から検索する（ステップＡ５）。そして、その検索したヘッダ情報Ｄ３に含まれる患者のＩＤや検査日付、検査時刻、検査部位、モダリティ等に基づいて同一患者且つ同一のモダリティや同一の検査部位の関連画像を検索して、その検索結果をＰＤＩ管理装置１１を介してサーバ３ｂに送信する（ステップＡ６、Ｃ９〜Ｃ１０）。
【００７７】
サーバ３ｂは、ＰＤＩ管理装置１１からの検索結果を受信し（ステップＢ５）、その検索結果から関連画像があると判定すると、当該関連画像の送付を依頼するために再度患者情報ＬＩＤをＰＤＩ管理装置１１を介してサーバ３ａに送信する（ステップＢ６）。このとき、ＰＤＩ管理装置１１は、サーバ３ｂから受信した患者情報ＬＩＤに対応付けられた検査情報ＬＩＤをメディア管理テーブル１１４から読み出して当該患者情報ＬＩＤと共にサーバ３ａに送信する（ステップＣ１１〜Ｃ１２）。
【００７８】
サーバ３ａは、ＰＤＩ管理装置１１から患者情報ＬＩＤ及び検査情報ＬＩＤを受信すると（ステップＡ７）、その各ＬＩＤに基づいて関連画像のヘッダ情報Ｄ３を基本情報ＤＢ３４１から読み出すと共に、当該ヘッダ情報Ｄ３に対応付けられた画像データＤ５を医用画像ＤＢ３４０から読み出し、医用画像データＤ１として新たなメディア９ｂに書き込み、追加メディアを作成する（ステップＡ８）。
【００７９】
そして、メディア９ｂの作成を登録するために、当該メディア９ａに格納した医用画像データＤ１に基づいてメディア登録情報３４２を生成して、ＰＤＩ管理装置１１に送信する（ステップＡ９）。尚、サーバ３ａによる追加用のメディア９ｂの作成の登録と、サーバ３ｂのメディア９ｂの受領の登録及び通知の各装置のステップＡ９〜Ａ１６、Ｂ７、Ｃ１３〜Ｃ１８は、上述したステップＡ３〜Ａ４、Ｂ１、Ｃ１〜Ｃ６と同様の処理であるため、その説明は省略する。
【００８０】
これにより、例えば、図８に示すように患者情報ＬＩＤが‘１１１１１１１１’、検査情報ＬＩＤが‘５６７８９０１２’のメディア９ａがＰＤＩ管理装置１１に登録され、サーバ３ｂでの受領後に関連画像を格納したメディア９ａが作成されると、そのメディア９ｂに格納された医用画像データＤ１の患者情報ＬＩＤ‘１１１１１１１２’、検査情報ＬＩＤ‘３４５６７８９０’がメディア管理テーブル１１４に記憶される。
【００８１】
以上、本実施形態によれば、サーバ３のメディア９の作成時に、そのメディア登録情報３４２をＰＤＩ管理装置１１で記憶すると共に、他の医療機関でメディア９が受領された際には、その病院のサーバ３から送信されるメディア受領情報３４３によりメディア管理テーブル１１４の受領日時を更新して、メディア９が受領されたことを登録する。これにより、作成したメディア９が他の医療機関で受領されたか否かをＰＤＩ管理装置１１において一元して管理することができる。
【００８２】
また、受領したメディア９に格納された医用画像の関連画像が有る場合には、その関連画像を格納したメディア９の作成を依頼すると共に、そのメディア９の作成及び受領もＰＤＩ管理装置１１において登録することができる。このため、追加のメディア９が複数作成された場合にもいて、ＰＤＩ管理装置１１において確実に管理されることとなる。従って、メディア９を用いた医用画像のデータ移送において、そのメディアが移送先に届いたか否かを容易に管理できる医用画像提供システムＳを実現することができる。
【００８３】
尚、上述した実施形態は、本発明を適用した一例であり、その適用可能な範囲は上述例に限られない。例えば、ＰＤＩ管理装置１１は、サーバ３からのメディア登録情報３４２を受信した場合、その受信した日時からの経過日数を計時し、メディア９の受領の登録を行わないまま、その経過日数が所定日数（例えば、７日）を超えた場合には、メディア９の作成元に警告を送信することとしてもよい。これにより、メディア９がメディア送付先に所定日数以内に届いていない場合には、メディア作成元にその旨を通知することができる。
【００８４】
また、ＰＤＩ管理装置１１をサーバ３とは別体の装置として実現することとして説明したが、ＰＤＩ管理装置１１とサーバ３とを一体的に構成することとしてもよいし、同一の院内ネットワークＮ３上に配設することとしてもよい。これにより、メディア９を作成した医療機関内でその作成及び受領を管理することができる。
【００８５】
また、メディア管理テーブル１１４を図８に示したようなデータ構成として説明したが、そのデータ構成は図示例に限られず、例えば、コメント情報をメディア管理ＬＩＤ１１４ａに対応付けて記憶することとしてもよい。ここで、コメント情報とは、メディア９に対する作成目的や特記事項等を含むコメントを示すデータであり、サーバ３のユーザにより入力される。
【００８６】
この場合、サーバ３がメディア９の作成時及び受領時に、メディア登録情報３４２やメディア受領情報３４３にコメント情報を対応付けてＰＤＩ管理装置１１に送信することとなる。これにより、そのメディア９に対するコメントをＰＤＩ管理装置１１で管理することも可能になる。
【００８７】
また、未受領情報として無効データを、受領済情報として現在日時を設定することとして説明したが、例えば、メディア９が受領されたか否かを示すフラグを設定することとしてもよい。この場合は、フラグのＯＦＦが未受領情報を示し、ＯＮが受領済情報を示すこととなる。このように、メディア管理テーブル１１４のデータ構成例は、図８に図示したものに限られず適宜変更可能である。
【図面の簡単な説明】
【００８８】
【図１】医用画像提供システムのシステム構成図の一例。
【図２】ＰＡＣＳのシステム構成図の一例。
【図３】医用画像データのデータ構成例を示す図。
【図４】ヘッダ情報のデータ構成例を示す図。
【図５】サーバの機能構成の一例を示すブロック図。
【図６】ＩＨＥに対応したメディアのデータ構造の一例を示す図。
【図７】ＰＤＩ管理装置の機能構成の一例を示すブロック図。
【図８】メディア管理テーブルのデータ構成例を示す図。
【図９】医用画像提供システムの具体的な動作を説明するためのシーケンス図。
【図１０】サーバの表示画面の一例。
【符号の説明】
【００８９】
Ｓ      医用画像提供システム
１      ＰＡＣＳ
３      サーバ
５      クライアント
９      メディア
３０    制御部
３１    入力部
３２    表示部
３３    通信部
３４    記憶部
３４２  メディア登録情報
３４３  メディア受領情報
３５    Ｉ／Ｆ部
４０    メディアドライブ
１１    ＰＤＩ管理装置
１１０  制御部
１１１  入力部
１１２  表示部
１１３  記憶部
１１４  メディア管理テーブル
Ｄ１    医用画像データ
Ｄ３     ヘッダ情報
Ｄ５    画像データ
３１    患者情報ＬＩＤ
３３    検査情報ＬＩＤ
３５    シリーズ情報ＬＩＤ
３７    画像詳細情報ＬＩＤ
【図１】
2010029223.tif 000003
【図２】
2010029223.tif 000004
【図３】
2010029223.tif 000005
【図４】
2010029223.tif 000006
【図５】
2010029223.tif 000007
【図６】
2010029223.tif 000008
【図７】
2010029223.tif 000009
【図８】
2010029223.tif 000010
【図９】
2010029223.tif 000011
【図１０】
2010029223.tif 000012